(57)【要約】【課題】  低背構造のソケットコネクタにおいても良好な耐衝撃性が得られるソケットコネクタに対してモジュール本体を容易かつ正確に装着可能としたもの。【解決手段】  モジュール本体２１の挿入方向に略直交する平面内で片持ち状に開閉揺動する可撓性係止板１４ａを備えたソケットコネクタ１０に対して治具本体３１を装着し、その治具本体３１を解放方向に回動させることにより可撓性係止板１４ａを外方側に押し広げて解放状態とし、その開放状態においてモジュール本体２１を治具本体３１のガイド開口部３１ｃに案内させつつ挿入することによってモジュール本体２１を可撓性係止板１４ａに邪魔されることなくソケットコネクタ１０内に容易かつ正確に装着するとともに、治具本体３１を元の位置まで戻すように回動させて可撓性係止板１４ａを元の閉塞状態に戻すことによりモジュール本体２１と係合させるように構成したもの。【選択図】      図９
2007109409.tif 000002
【特許請求の範囲】
【請求項１】
モジュール本体を挿入可能な絶縁ハウジングの環状側壁板の一部を形成するように前記モジュール本体の挿入方向と略直交する平面内において片持ち状に開閉揺動可能に配置された可撓性係止板を備え、その可撓性係止板が前記絶縁ハウジング内に挿入された前記モジュール本体に係合することによって当該モジュール本体を不動状態に保持する構成になされたソケットコネクタに対して用いられるものであって、
前記ソケットコネクタの環状側壁板を外方側から覆うように装着された状態で前記モジュール本体の挿入方向と略直交する平面内において前記ソケットコネクタと同心状に回動可能に構成された治具本体を有し、
その治具本体には、
前記ソケットコネクタ内に向かって前記モジュール本体を挿入する際に当該モジュール本体の挿入を案内するガイド開口部と、
前記ソケットコネクタの閉塞状態となっている可撓性係止板より半径方向内方側に配置され、前記治具本体部の回動に伴って前記可撓性係止板を半径方向外方側に押し広げて当該可撓性係止板を解放状態とする解放部材と、
が設けられていることを特徴とするソケットコネクタ用モジュール装着治具。
【請求項２】
前記モジュール本体が、平面略矩形状に形成されたカメラモジュールの絶縁枠体からなるとともに、
前記ソケットコネクタの環状側壁板が、前記モジュール本体の外周壁面を取り囲むように形成された平面略矩形状をなすように形成され、
前記ガイド開口部が、前記モジュール本体の挿入案内を行う平面略矩形状の貫通口から構成されていることを特徴とする請求項１記載のソケットコネクタ用モジュール装着治具。
【請求項３】
前記ガイド開口部は、前記可撓性係止板が解放状態となったときに前記ソケットコネクタの開口形状と略一致する角度位置となるように配置されていることを特徴とする請求項１または請求項２に記載のソケットコネクタ用モジュール装着治具。
【請求項４】
前記治具本体には、
前記ソケットコネクタの環状側壁板の外周壁面に当接して当該治具本体を回動可能に支持する円環状案内壁面と、
前記可撓性係止板が解放状態となったときに前記治具本体の更なる解放方向への回動を規制する回動終端部材と、
前記可撓性係止板の半径方向外方側に配置され、前記治具本体部の閉塞方向への回動に伴って前記可撓性係止板が半径方向内方側の閉塞状態に戻る復元動作を補助する閉塞支援部材と、
が設けられていることを特徴とする請求項１ないし３のいずれかに記載のソケットコネクタ用モジュール装着治具。
【請求項５】
前記治具本体が、前記ソケットコネクタに対して上方から覆い被さるように形成された略円盤状部材から形成されているとともに、
前記解放部材または回動終端部材または閉塞支援部材が、ピン状部材から形成されていることを特徴とする請求項１ないし４のいずれかに記載のソケットコネクタ用モジュール装着治具。
【発明の詳細な説明】
【技術分野】
【０００１】
本発明は、ソケットコネクタ内にモジュール本体を装着する際に用いられるソケットコネクタ用モジュール装着治具に関する。
【背景技術】
【０００２】
一般に、カメラ部を一体に備えたカメラモジュール等のように各種電子部品のモジュール化することが種々の分野で行われているが、そのようにモジュール化した電子部品を実装するにあたっては、適宜の回路基板上に装架されたソケットコネクタに対して、モジュール本体を装着することによって電気的な接続を行うようにしている（例えば下記特許文献１参照）。
【０００３】
図１２および図１３に示されているようなカメラモジュール１のモジュール本体（絶縁枠体）１ａを装着するソケットコネクタ２においては、中空角柱状をなすように形成された環状側壁板２ａを有する絶縁ハウジングが設けられていて、その絶縁ハウジングの環状側壁板２ａが、略角柱状をなすモジュール内装空間を形成するように底壁板２ｂの外周縁部から略垂直に立ち上げられている。そして、その環状側壁板２ａにおける略矩形状をなす上方開口部から前記モジュール本体１ａを図示下方側に挿入することによって当該モジュール本体１ａを前記モジュール内装空間に装着するように構成されている。このようにしてソケットコネクタ２内に装着されたモジュール本体１ａは、絶縁ハウジングの環状側壁板２ａの角隅部に配置されたモジュール係止手段３により不動状態に保持される。
【０００４】
すなわち、上述したモジュール係止手段３は、図１４および図１５にも示されているように、前記絶縁ハウジングの環状側壁板２ａの角隅部に配置された可撓性係止板３ａを有している。この可撓性係止板３ａは、前記底壁板２ｂから図示上方側に向かって片持ち状をなすように立ち上げられており、その片持状をなす可撓性係止板３ａにおける図示上端側の自由端部分に係止部３ｂが設けられている。その係止部３ｂは、前記可撓性係止板３ａの自由端部分を内方側に向かって逆Ｕ字形状をなすように折り返して形成されたものであって、その折り返した図示下端側の端面３ｃが、前記モジュール内装空間に挿入されたモジュール本体１ａのエッジ部近傍の嵌合表面（図示上面）に係合することによってモジュール本体１ａの全体が不動状態に保持されるようになっている。
【０００５】
しかしながら、このような構造を有するソケットコネクタ２においては、上述したモジュール係止手段３の係止部３ｂが係合するモジュール本体１ａのエッジ部近傍が、強度の小さい薄肉状となっていることから耐衝撃性に問題を生じるおそれがある。例えば携帯電話やＰＤＡ等に組み込まれて使用された場合には、使用中に誤って落下させるような事態によって大きな衝撃力を受けることが考えられる。そして、そのような落下時には、上述したモジュール係止手段３の係止部３ｂとモジュール本体１ａの嵌合表面とが激しく衝突することとなり、その際に発生するとき大きな衝撃力によって、モジュール本体１ａの嵌合表面の近傍部分に欠け等の損傷を生じ、モジュール本体１ａの保持ができなくなってカメラ機能を害するおそれがある。このような事情から近年では、ソケットコネクタ２の耐衝撃性を大幅に向上させる要請が強くなってきている。
【０００６】
特に最近においては、携帯電話やＰＤＡの小型化に伴ってソケットコネクタ２の高さを出来るだけ低く抑えた低背構造とする傾向になってきている。そのような低背構造では、上述したモジュール係止手段３の可撓性係止板３ａの延出高さも短縮化せざるを得なくなり、当該可撓性係止板３ａの撓み量が小さくなってしまう。その結果、可撓性係止板３ａの自由端部分に設けられた係止部３ｂが、モジュール本体１ａの嵌合表面に係合する引っ掛かり面積が小さくなってしまい、上述したソケットコネクタ２の耐衝撃性向上の要請に反することになりかねない。
【０００７】
そのような問題を解消するために本願出願人は、モジュール本体の挿入方向に略直交する平面内で片持ち状に揺動する可撓性係止板を備えたソケットコネクタを、特願２００５−１２９７１２として既に提案している。本願出願におけるソケットコネクタに設けられた可撓性係止板は、モジュール本体を挿入可能な絶縁ハウジングの環状側壁板の一部を形成するものであって、前記モジュール本体の挿入方向と略直交する平面内において片持ち状に揺動可能に配置されている。そして、その可撓性係止板が前記絶縁ハウジング内に挿入された前記モジュール本体に係合することによって当該モジュール本体を不動状態に保持するように構成されている。
【０００８】
この既に提案されたソケットコネクタによれば、可撓性係止板の自由端部分におけるモジュール本体の嵌合表面に対する引っ掛かり面積を、ソケットコネクタの高さとは無関係に十分に確保することが可能となり、低背構造のソケットコネクタにおいても良好な耐衝撃性が得られ、ソケットコネクタの耐衝撃性を低廉かつ大幅に向上させることができるという利点がある。
【０００９】
このように、本願出願人により既に提案されたソケットコネクタは、耐衝撃性に優れたものではあるものの、モジュール本体を装着するにあたっては可撓性係止板を作業者が解放状態に保持しておかねばならないという問題があり、その分、ソケットコネクタに対するモジュール本体の装着作業に比較的手間が掛かることとなって生産性低下のおそれがある。
【００１０】
このような問題を解消するためのソケットコネクタ用モジュール装着治具として、例えば下記の特許文献２や特許文献３に記載されたものも考えられるが、これらは、いずれもモジュール本体の挿入方向に略直交する平面内で片持ち状に揺動する可撓性係止板に対応することはできない上、特に前者では、モジュール本体を固定するためのネジ部を設ける必要があり、かえって生産性が低下するおそれがあり、しかも大型化していまうという問題もある。また後者では、治具によってレバー部を直接押し下げる構成となっているために、治具とレバー部、つまりコネクタの端子先端部とが直接的に接触することとなり、それが端子に傷やバリが発生させる要因ともなる。また治具の当て方が良好でない場合には端子を曲げ変形させてしまうおそれもある。
【００１１】
【特許文献１】特開２００５−２５９８４号公報
【特許文献２】実開平１−７０２７９号明細書
【特許文献３】特開２００２−１９８１３８号公報
【発明の開示】
【発明が解決しようとする課題】
【００１２】
そこで本発明は、低背構造であっても良好な耐衝撃性を得られるように構成されたソケットコネクタに対してモジュール本体を容易かつ正確に装着させることができ、電気コネクタの生産性を大幅に向上させることができるようにしたソケットコネクタ用モジュール装着治具を提供することを目的とする。
【課題を解決するための手段】
【００１３】
上記目的を達成するため本発明にかかるソケットコネクタ用モジュール装着治具では、モジュール本体を挿入可能な絶縁ハウジングの環状側壁板の一部を形成するように前記モジュール本体の挿入方向と略直交する平面内において片持ち状に開閉揺動可能に配置された可撓性係止板を備え、その可撓性係止板が前記絶縁ハウジング内に挿入された前記モジュール本体に係合することによって当該モジュール本体を不動状態に保持する構成になされたソケットコネクタに対して用いられるものであって、前記ソケットコネクタの環状側壁板を外方側から覆うように装着された状態で前記モジュール本体の挿入方向と略直交する平面内において前記ソケットコネクタと同心状に回動可能に構成された治具本体を有し、その治具本体には、前記ソケットコネクタ内に向かって前記モジュール本体を挿入する際に当該モジュール本体の挿入を案内するガイド開口部と、前記ソケットコネクタの閉塞状態となっている可撓性係止板より半径方向内方側に配置され、前記治具本体部の回動に伴って前記可撓性係止板を半径方向外方側に押し広げて当該可撓性係止板を解放状態とする解放部材とが設けられている。
【００１４】
このような構成を有する本発明にかかるソケットコネクタ用モジュール装着治具を、モジュール本体挿入方向に略直交する平面内で開閉揺動する可撓性係止板を備えたソケットコネクタに用いるにあたっては、治具本体をソケットコネクタに被せるようにして適宜の角度関係となるように装着し、その治具本体に設けられた解放部材を、閉塞状態となっているソケットコネクタの可撓性係止板の半径方向内方側に位置するように挿入する。そのような初期セット状態から治具本体を解放方向に回動させていくと、解放部材の移動に伴って可撓性係止板が半径方向外方側に押し広げられていき、最終的には可撓性係止板が完全な解放状態になされる。そして、その可撓性係止板の解放状態において、モジュール本体を治具本体のガイド開口部に沿って挿入させていけば、モジュール本体は可撓性係止板に邪魔されることなくソケットコネクタ内に容易かつ正確に挿入されることとなる。その後、治具本体を元の位置まで戻すように回動させれば、それに伴って可撓性係止板が元の閉塞状態に戻り、それによって可撓性係止板がモジュール本体と係合されることとなる。そして最後に、治具本体をソケットコネクタから外してソケットコネクタに対するモジュール本体の装着を完了する。したがって、本発明にかかるソケットコネクタ用モジュール装着治具によれば、モジュール本体の装着を容易かつ正確に行うことが可能となる。
【００１５】
また本発明にかかるソケットコネクタ用モジュール装着治具では、前記モジュール本体が平面略矩形状に形成されたカメラモジュールの絶縁枠体からなるとともに、前記ソケットコネクタの環状側壁板が、前記モジュール本体の外周壁面を取り囲むように形成された平面略矩形状をなすように形成され、前記ガイド開口部が、前記モジュール本体の挿入案内を行う平面略矩形状の貫通口から構成されている。このような構成を有するソケットコネクタ用モジュール装着治具によれば、カメラモジュールにおいてモジュール本体の装着を容易かつ正確に行うことが可能となる。
【００１６】
また、本発明にかかるソケットコネクタ用モジュール装着治具では、前記ガイド開口部が、前記可撓性係止板が解放状態となったときに前記ソケットコネクタの開口形状と略一致する角度位置となるように配置されている。このような構成を有するソケットコネクタ用モジュール装着治具によれば、ソケットコネクタの可撓性係止板が解放状態になされたときに、直ちにモジュール本体がガイド開口部を通してソケットコネクタ内に挿入される。
【００１７】
また、本発明にかかるソケットコネクタ用モジュール装着治具における前記治具本体には、前記ソケットコネクタの環状側壁板の外周壁面に当接して当該治具本体を回動可能に支持する円環状案内壁面と、前記可撓性係止板が解放状態となったときに前記治具本体の更なる解放方向への回動を規制する回動終端部材と、前記可撓性係止板の半径方向外方側に配置され、前記治具本体部の閉塞方向への回動に伴って前記可撓性係止板が半径方向内方側の閉塞状態に戻る復元動作を補助する閉塞支援部材とが設けられている。
【００１８】
このような構成を有するソケットコネクタ用モジュール装着治具によれば、治具本体に円環状案内壁面が設けられていることによって、治具本体がソケットコネクタに対して容易かつ正確に装着されるとともに、回動終端部材によって治具本体の過回動が防止され、また閉塞支援部材が設けられている場合には可撓性係止板が元の閉塞状態に良好に戻されるようになっている。
【００１９】
また、本発明にかかるソケットコネクタ用モジュール装着治具では、前記治具本体が、前記ソケットコネクタに対して上方から覆い被さるように形成された略円盤状部材から形成されているとともに、前記解放部材または回動終端部材または閉塞支援部材がピン状部材から形成されている。
【００２０】
このような構成を有するソケットコネクタ用モジュール装着治具によれば、治具本体ならびに解放部材または前記回動終端部材または前記閉塞支援部材が、容易に形成されるようになっている。
【発明の効果】
【００２１】
以上述べたように本発明にかかるソケットコネクタ用モジュール装着治具は、モジュール本体の挿入方向に略直交する平面内で片持ち状に開閉揺動する可撓性係止板を備えたソケットコネクタに対して治具本体を装着し、その治具本体を解放方向に回動させることにより可撓性係止板を外方側に押し広げて解放状態とし、その開放状態においてモジュール本体を治具本体のガイド開口部に案内させつつ挿入することによってモジュール本体を可撓性係止板に邪魔されることなくソケットコネクタ内に容易かつ正確に装着するとともに、治具本体を元の位置まで戻すように回動させて可撓性係止板を元の閉塞状態に戻すことによりモジュール本体と係合させるように構成したものであるから、低背構造であっても良好な耐衝撃性を得られるように構成されたソケットコネクタに対してモジュール本体を容易かつ正確に装着させることができ、電気コネクタの生産性および信頼性を大幅に向上させることができる。
【発明を実施するための最良の形態】
【００２２】
以下、本発明にかかるソケットコネクタ用モジュール装着治具の一実施形態について図面に基づいて詳細に説明するが、それに先立って、本発明にかかるソケットコネクタ用モジュール装着治具が用いられるカメラモジュールが装着されるソケットコネクタの構造例を説明しておく。
【００２３】
図１および図２に示されているカメラモジュール用のソケットコネクタ１０は、平面略矩形状をなすように形成された中空角柱状の環状側壁板１１を有する絶縁ハウジングを備えている。この絶縁ハウジングの環状側壁板１１は、底壁板１２の外周縁部から略直角に立ち上がって略角柱状のモジュール内装空間を形成しており、当該環状側壁板１１の略矩形状をなす開口部を通して、カメラ部を一体に有するカメラモジュール２０のモジュール本体（絶縁枠体）２１を挿入することによって、前記絶縁ハウジングのモジュール内装空間にモジュール本体２１を装着する構成になされている。
【００２４】
上述した絶縁ハウジングの環状側壁板１１の内側表面には、多数の導電コンタクト１３が適宜のピッチで矩形状をなすようにして環状に配置されている。それらの各導電コンタクト１３の内方側部分には、特に図３に示されているように、前記モジュール内装空間側に向かって突出する接点部１３ａをそれぞれ備えている。それらの各接点部１３ａは、前記絶縁ハウジングの環状側壁板１１側から底壁板１２に向かって斜めに傾斜して延出するように形成されており、前記モジュール本体２１の底縁角部に凹設された接続パットのメッキ導電部２１ａに対して弾性的に圧接される配置関係になされている。
【００２５】
また、それらの導電コンタクト１３の外方側部分には、上述した絶縁ハウジングの環状側壁板１１と底壁板１２との間に形成された挿通隙間１０ａを通して外方に適宜の量だけ延出する半田接続部１３ｂを有しており、それらの各半田接続部１３ｂが、図示を省略した回路基板上に形成された半田付けランド部に載置されて半田接続されるようになっている。
【００２６】
さらに、このようなソケットコネクタ１０に装着されたカメラモジュール２０を構成するモジュール本体２１は、絶縁ハウジングの環状側壁板１１の一部を構成するように配置されたモジュール係止手段１４によって不動状態に保持される構成になされている。このモジュール係止手段１４を構成している可撓性係止板１４ａは、特に図４，図５および図６に示されているように、上述した絶縁ハウジングの環状側壁板１１における略矩形状開口部を形成するように延在する４体の細長帯状部材から形成されており、それら４体の可撓性係止板１４ａが、前記環状側壁板１１の図示上縁部に沿って略水平に延在していることによって、これら４体の可撓性係止板１４ａの全体は平面略矩形状をなす配置関係になされている。
【００２７】
より詳細には、それら４体の各可撓性係止板１４ａは、前記絶縁ハウジングの環状側壁板１１の開口部における各々の角隅部を支点として隣接する他の角隅部に向かって片持状をなすように延出しており、当該各可撓性係止板１４ａの支点側に位置する基端部分１４ｂと、それに隣接する他の可撓性係止板１４ａの延出側に位置する自由端部分１４ｃとが一部重合する配置関係になされている。
【００２８】
このとき、上述した各可撓性係止板１４ａの基端部分１４ｂは、前記絶縁ハウジングの環状側壁板１１の各角隅部に形成された狭小の取付溝１１ａ内に圧入されることによって固定されており、その圧入固定部分を支点として延出する当該可撓性係止板１４ａの自由端部分１４ｃが、前記カメラモジュール２０のモジュール本体２１の挿入方向（図示上下方向）に略直交する略水平面内において適宜の角度にわたって開閉するように揺動可能な構成になされている。
【００２９】
また、上述した可撓性係止板１４ａの基端部分１４ｂは、前記絶縁ハウジングの環状側壁板１１の角隅部に沿うようにして略直角に折れ曲げられた形状になされており、その折り曲げられて他の可撓性係止板１４ａの自由端部分１４ｃ側に向かって延出する部分に、ストッパー１４ｄおよびカバー固定板１４ｅが設けられている。そのうちストッパー１４ｄは、他の可撓性係止板１４ａの自由端部分１４ｃに後述するように設けられた係止部１４ｆに対面するように配置されており、当該係止部１４ｆの揺動範囲を規制する機能を備えている。
【００３０】
一方、上述したカバー固定板１４ｅは、可撓性係止板１４ａの基端部分１４ｂにおいて前記絶縁ハウジングの環状側壁板１１の外表面に沿って図示下方に延びる細長帯状部材から形成されており、その図示下端部分が図示を省略した回路基板上に達している。そのカバー固定板１４ｅの途中部分には、山形状に張り出すようにしてロック部１４ｇが設けられており、そのロック部１４ｇが、図示を省略したシールドカバー側に設けられたロック穴に係合することによって、ソケットコネクタ１０およびカメラモジュール２０を覆うように装着されたシールドカバーの固定が行われるようになっている。
【００３１】
さらに、上述した片持状をなすようにして延在する各可撓性係止板１４ａの自由端部分１４ｃには、略直角に折り曲げられて平面略Ｌ字形状をなすように形成された係止部１４ｆがそれぞれ設けられている。また、自由端部分１４ｃの下辺部より略直角方向に折り曲げられて係止部１４ｈがそれぞれ設けられている。これらの各係止部１４ｆおよび１４ｈは、上述したカメラモジュール２０のモジュール本体２１における図示上面に対して当該モジュール本体２１の挿入方向（図示上下方向）に重合するように配置されており、可撓性係止板１４ａが閉塞状態となったときに、前記モジュール本体２１の図示上面を嵌合表面として当該モジュール本体２１に係合される配置関係になされている。
【００３２】
より具体的には、前記可撓性係止板１４ａの係止部１４ｆは、前記カメラモジュール２０のモジュール本体２１の外周縁部から中心側に向かって略矩形状に張り出すように形成されている。そして、それらの各係止部１４ｆは、可撓性係止板１４ａが外方側に向かって開放されるように揺動された際に、隣接する他の可撓性係止板１４ａに設けられたストッパー１４ｄの内面側に当接することによって、それ以上外方側へ開放されることのないよう係止される構成になされている。
【００３３】
このような構成を有するソケットコネクタ１０によれば、モジュール係止手段１４の可撓性係止板１４ａが、略矩形状をなす絶縁ハウジングの環状側壁板１１の隣接する角隅部どうしの間に掛け渡されるように延在する配置関係になされているため、可撓性係止板１４ａの延出側の自由端部分１４ｃに設けられた係止部１４ｆおよび１４ｈがモジュール本体２１の嵌合表面に係合する引っ掛かり面積が、従来のようにソケットコネクタ１０の高さとは無関係となって十分に確保されることとなり、低背構造のソケットコネクタ１０においても良好な耐衝撃性が得られるようになっている。
【００３４】
また、モジュール本体２１をソケットコネクタ１０内に挿入する際に可撓性係止板１４ａを外方側に押し開いておくことによって、モジュール本体２１の挿入操作が容易に行われるようになっているとともに、モジュール本体２１の嵌合表面に係合する可撓性係止板１４ａの係止部１４ｆおよび１４ｈの引っ掛かり面積が、強度が大きいモジュール本体２１の中心側に向かって略Ｌ字形状をなして張り出すように拡大されているため、極めて良好な耐衝撃性が得られるようになっている。
【００３５】
次に、このようなソケットコネクタ１０に対してモジュール本体２１を装着するために用いられる本発明の一実施形態にかかるソケットコネクタ用モジュール装着治具について説明する。
【００３６】
まず、図７、図８および図９に示されている本発明の一実施形態にかかるソケットコネクタ用モジュール装着治具３０は、略円盤状の部材からなる治具本体３１を有している。
この治具本体３１においては、斜視図としての図１６にも示されているように、当該治具本体３１を構成している略円盤状部材が、平面円形状の両側を直線状に切り落とした形状を備えており、それら両側に形成された両平坦面が作業者の手により当該治具本体３１の全体が把持される構成になされている。
【００３７】
また、その治具本体３１の裏面側（図９の下面側）は、当該治具本体３１の周縁部分を残して段付き状に窪む形状になされており、その周縁段部３１ａの内周面に、前述したソケットコネクタ１０の環状側壁板１１における４つの角隅部に接触する円環状案内壁面３１ｂが形成されている。そして、治具本体３１をソケットコネクタ１０に装着する際に、前記円環状案内壁面３１ｂに沿って治具本体３１の全体が前記ソケットコネクタ１０の外端に接触しながら図９の下方向に向かって円滑に案内されつつ装着される。そのようにして装着された治具本体３１は、上記円環状案内壁面３１ｂがソケットコネクタ１０の環状側壁板１１における４つの角隅部に接触しながら円周方向に滑動することによって、当該治具本体３１の全体が安定的に支持されながら前記ソケットコネクタ１０と同心状に回動可能に構成されている。すなわち、この治具本体３１の回動平面は、ソケットコネクタ１０に対してモジュール本体２１を挿入する方向（図９の下方向）と略直交する平面となっている。
【００３８】
また、上述した治具本体３１の平面略中央部分には、平面略矩形の開口形状を有するガイド開口部３１ｃが当該治具本体３１を厚さ方向（図９の上下方向）に貫通するように形成されている。このガイド開口部３１ｃは、前記モジュール本体２１の外郭形状に対応した開口形状および開口大きさを有するように形成されており、そのガイド開口部３１ｃの内周壁面に形成された案内壁面３１ｄのガイド作用によって前記モジュール本体２１がガイド開口部３１ｃの内部を通して安定的に挿通される構成になされている。すなわち、このガイド開口部３１ｃの開口矩形状は、前記ソケットコネクタ１０の環状側壁板１１の開口矩形状と略一致する形状および位置に形成されている。
【００３９】
一方、前記ガイド開口部３１ｃの半径方向外方側の領域には、解放部材としての解放ピン３１ｅ、回動終端部材としての回動終端ピン３１g、および閉塞支援部材としての閉塞支援ピン３１fが、前記治具本体３１からソケットコネクタ１０側に向かって突出するように立設されている。
【００４０】
そのうちの解放ピン３１ｅは、前記ソケットコネクタ１０の可撓性係止板１４ａに対して半径方向内方側に相当する領域に立設されており、特に図１０に示されているように、前記治具本体３１がソケットコネクタ１０に対して適宜の角度をθをなして装着された直後の初期のセット状態においては、閉塞状態にある可撓性係止板１４ａの内側に解放ピン３１ｅが配置されるようになっている。そして、その初期セット状態から治具本体３１の全体が同図矢印で示された解放方向に回動されると、それに伴って上述した解放ピン３１ｅがソケットコネクタ１０の可撓性係止板１４ａを内側から外側に向かって押圧していき、最終的には図１１に示されているように、前記可撓性係止板１４ａを半径方向外方側に完全に押し広げて解放状態とする構成になされている。
【００４１】
これに対して、上述した閉塞支援ピン３１fは、前記ソケットコネクタ１０の可撓性係止板１４ａに対して外方側に相当する位置に立設されており、図１０に示されているような前記治具本体３１の初期セット状態において、閉塞状態にある可撓性係止板１４ａの半径方向外側に配置されるようになっている。そして、前述したように可撓性係止板１４ａが完全に押し広げられて解放状態となされた後に、その治具本体３１の全体が元の初期セット状態に戻すように閉塞方向に回動されるときに、当該治具本体３１の回動に伴って前記ソケットコネクタ１０の可撓性係止板１４ａが、それ自身の弾性復元力によって元の閉塞状態に戻ろうとする。その際、前記閉塞支援ピン３１ｆは、ソケットコネクタ１０の可撓性係止板１４ａの半径方向外側表面に当接しながら回動して、上述した可撓性係止板１４ａの閉塞状態に戻る復元動作を補助し、最終的には図１０に示されているように、前記可撓性係止板１４ａを元の閉塞状態に戻す構成になされている。元の閉塞状態に戻り切ったときには、閉塞支援ピン３１fが絶縁ハウジングの環状側壁板１１に当接しストッパとなる為、治具本体３１をそれ以上回そうとしても回動しない。
【００４２】
一方、上述した回動終端ピン３１ｇは、図１１に示された前記可撓性係止板１４ａの解放状態において、当該可撓性係止板１４ａの基端部分１４ｂ側に対して半径方向外方側から当接する位置に立設されており、治具本体３１の更なる解放方向への回動を規制する構成になされている。尚、回動終端ピン３１ｇの位置を、治具本体３１の回動中心より遠くに設定すれば、可撓性係止板１４ａの回動量を大きく設定することも出来る。
【００４３】
このような構成を有する本実施形態にかかるソケットコネクタ用モジュール装着治具３０を用いて、前述した可撓性係止板１４ａを備えたソケットコネクタ１０にモジュール本体２１を装着するにあたっては、まず図１７に示されているように、モジュール本体２１と治具本体３１とソケットコネクタ１０を配置する。詳細には、治具本体３１より下方側に向かって見ると、図１０に示された位置関係となるように、ソケットコネクタ用モジュール装着治具３０の治具本体３１を、ソケットコネクタ１０に上方側から被せるようにして適宜の角度θをなして装着する。そのとき、その治具本体３１に設けられている解放ピン３１ｅを、閉塞状態となっているソケットコネクタ１０の可撓性係止板１４ａの半径方向内方側に挿入し、かつ閉塞支援ピン３１ｆを可塑性係止板１４ａの半径方向外方側へ挿入し、それを初期セット状態とする。
【００４４】
ついで、その初期セット状態から、治具本体３１を解放方向に回動させていくと、解放ピン３１ｅにより可撓性係止板１４ａが半径方向外方側に押し広げられていき、最終的には図１１に示されているように前記可撓性係止板１４ａが完全な解放状態になされる。そして、この可撓性係止板１４ａの解放状態において、前記モジュール本体２１を治具本体３１のガイド開口部３１ｃにより案内させるようにして挿入していけば、モジュール本体２１は可撓性係止板１４ａに邪魔されることなくソケットコネクタ１０内に容易かつ正確に挿入されることとなる。このときのモジュール本体２１の挿入方式としては、例えばロボットによる自動実装方式とすれば、生産性を上げることが出来る。
【００４５】
その後、治具本体３１を図１０に示されている元の初期セット状態まで戻すように回動させれば、それに伴って可撓性係止板１４ａが、それ自身の弾性復元力および閉塞支援ピン３１ｆの補助によって元の閉塞状態に戻ることとなり、それによって可撓性係止板１４ａがモジュール本体２１と係合される。そして最後に、治具本体３１をソケットコネクタ１０から外せば、ソケットコネクタ１０に対するモジュール本体２１の装着を完了する。以上のように本実施形態にかかるソケットコネクタ用モジュール装着治具３０を用いれば、モジュール本体２１の装着を高精度かつ効率的に実行することが可能となる。
【００４６】
このとき、特に本実施形態では、治具本体３１のガイド開口部３１ｃの開口形状が、ソケットコネクタ１０の可撓性係止板１４ａの解放状態において環状側壁板１１の開口形状と略一致する形状および位置となるように構成されているから、ソケットコネクタ１０の可撓性係止板１４ａが解放状態となされたときに、モジュール本体２１がガイド開口部３１ｃを通して直ちにソケットコネクタ１０内に挿入される。
【００４７】
また本実施形態では、治具本体３１に、解放ピン３１ｅに加えて、治具本体３１に円環状案内壁面３１ｂが設けられていることによって、治具本体３１がソケットコネクタ１０に対して容易かつ正確に装着されるとともに、回動終端ピン３１ｇおよび閉塞支援ピン３１ｆが設けられていることから、治具本体３１の過回動が防止されるとともに、可撓性係止板１４ａが元の閉塞状態に良好に戻されるようになっている。
【００４８】
以上本発明者によってなされた発明を実施形態に基づき具体的に説明したが、本発明は上記実施形態に限定されるものではなく、その要旨を逸脱しない範囲で種々変形可能であるというのはいうまでもない。
【００４９】
例えば上述した実施形態は、カメラモジュール用のソケットコネクタに本発明を適用したものであるが、その他の電子部品をモジュール化した場合におけるソケットコネクタに対しても本発明は同様に適用することができるものである。
【産業上の利用可能性】
【００５０】
以上述べた本発明にかかるソケットコネクタは、カメラモジュールをはじめとしてモジュール化した各種電子部品に対して使用する多種多様なソケットコネクタに対して広く適用することが可能である。
【図面の簡単な説明】
【００５１】
【図１】本発明を用いる対象であるソケットコネクタに対してカメラモジュールを装着しようとしている状態を表した観斜視説明図である。
【図２】図１に示されたソケットコネクタに対してカメラモジュールを装着した後の状態を表した観斜視説明図である。
【図３】図２に示されたソケットコネクタおよびカメラモジュールの中心を通る部位の部分縦断面説明図である。
【図４】図２に示されたソケットコネクタにおける角隅部の構造を表した部分縦断面説明図である。
【図５】図２に示されたソケットコネクタにおける角隅部の構造を表した外観斜視説明図である。
【図６】図５においてVI−VI線で示された部位の縦断面を表した外観斜視説明図である。
【図７】本発明の一実施形態にかかるソケットコネクタ用モジュール装着治具の構成を表した平面説明図である。
【図８】図７に表された本発明の一実施形態にかかるソケットコネクタ用モジュール装着治具の構成を表した底面説明図である。
【図９】図７および図８に表された本発明の一実施形態にかかるソケットコネクタ用モジュール装着治具の縦断面説明図である。
【図１０】図７〜図９に表された本発明の一実施形態にかかるソケットコネクタ用モジュール装着治具をソケットコネクタに装着した直後の初期セット状態を表した平面説明図である。
【図１１】図１０に表された初期セット状態から治具本体を回動した後における解放状態を表した平面説明図である。
【図１２】一般のソケットコネクタに対してカメラモジュールを装着しようとしている状態を表した観斜視説明図である。
【図１３】図１２に示された一般のソケットコネクタに対してカメラモジュールを装着した後の状態を表した観斜視説明図である。
【図１４】図１２および図１３に示された一般のソケットコネクタにおける角隅部の構造を表した縦断面説明図である。
【図１５】図１４に示された角隅部に相当する外観斜視説明図である。
【図１６】治具本体の斜視図である。
【図１７】カメラモジュールと治具本体とソケットコネクタの位置関係を表した斜視図である。
【符号の説明】
【００５２】
１０  ソケットコネクタ
１０ａ  挿通隙間
１１  環状側壁板
１１ａ  取付溝
１２  底壁板
１３  導電コンタクト
１３ａ  接点部
１３ｂ  半田接続部
１４  モジュール係止手段
１４ａ  可撓性係止板
１４ｂ  基端部分
１４ｃ  自由端部分
１４ｄ  ストッパー
１４ｅ  カバー固定板
１４ｆ  係止部
１４ｇ  ロック部
２０  カメラモジュール
２１  モジュール本体２１
２１ａ  メッキ導電部
３０  ソケットコネクタ用モジュール装着治具
３１  治具本体
３１ａ  周縁段部
３１ｂ  円環状案内壁面
３１ｃ  ガイド開口部
３１ｄ  案内壁面
３１ｅ  解放ピン（解放部材）
３１ｆ  閉塞支援ピン（閉塞支援部材）
３１ｇ  回動終端ピン（回動終端部材）
【図１】
2007109409.tif 000003
【図２】
2007109409.tif 000004
【図３】
2007109409.tif 000005
【図４】
2007109409.tif 000006
【図５】
2007109409.tif 000007
【図６】
2007109409.tif 000008
【図７】
2007109409.tif 000009
【図８】
2007109409.tif 000010
【図９】
2007109409.tif 000011
【図１０】
2007109409.tif 000012
【図１１】
2007109409.tif 000013
【図１２】
2007109409.tif 000014
【図１３】
2007109409.tif 000015
【図１４】
2007109409.tif 000016
【図１５】
2007109409.tif 000017
【図１６】
2007109409.tif 000018
【図１７】
2007109409.tif 000019